(57)【特許請求の範囲】
【請求項１】
筒状本体（５）と、防爆フィルター（１６）とを有する鉛蓄電池用液口栓であって、
前記筒状本体（５）は、筒体（６）と、ヒンジ部（１８）を介して前記筒体（６）と一体に形成された蓋（７）と、ヒンジ部（２７）を介して前記筒体（６）と一体に形成された板状体（８）と、防沫体（９）とからなり、前記防沫体（９）によって前記筒体（６）の内部を前記防沫体（９）の外部となる下部空間（１３）と前記防沫体（９）の内部となる上部空間（１２）とに分けるとともにスリット（１４）を介して互いに連通させ、かつ前記防沫体（９）は前記筒体（６）と一体に形成され、
前記防爆フィルター（１６）は、前記筒体（６）の上部空間（１２）に配置されていることを特徴とする、
鉛蓄電池用液口栓。
【請求項２】
前記蓋（７）は、上面にコイン溝（１９）が形成され、下面に突起（２０，２２）を有するものであり、
前記防沫体（９）は、前記筒体（６）との連結部（１１）の上面に前記突起（２０，２２）と嵌合する凹部（２１，２３）が形成されていることを特徴とする、
請求項１記載の鉛蓄電池用液口栓。
【発明の詳細な説明】
【０００１】
【発明の属する技術分野】
本発明は鉛蓄電池用液口栓の改良に関するものである。
【０００２】
【従来の技術】
鉛蓄電池に広く使用されている液口栓は、第４図に示すように筒状本体１と、防沫体２と、防爆フィルター３とから構成されている。防沫体２は、筒状本体１内の下部を迷路構造にし、電解液の防沫機能および溢出防止機能を実現させたものであり、防爆フィルター３は、火気が蓄電池内部のガスに引火しないように筒状本体１内の上部に設けられている。また、該フィルター３に埃が溜まり通気不良になるのを防止するために、通常、該フィルター３の上部に筒状本体１と一体となった蓋４で覆われている。
【０００３】
【発明が解決しようとする課題】
従来の技術に記載した液口栓は、筒状本体１の下部からフィルター３を挿入し、次に、防沫体２を挿入して前記本体１に嵌着して相互を一体化した構造であるため、筒状本体１と防沫体２とは別部品とならざるを得なく、部品削減ができずにコストアップの要因となっていた。
【０００４】
本発明は、上記問題点を解消したものであり、その目的とするところは、従来液口栓が筒状本体と防沫手段と防爆フィルターの３部品からなっていたものを前記フィルターを別部品として筒状本体と防沫手段を一体化した部品、すなわち２部品からなるようにし、部品点数の削減と筒状本体に防沫手段を取り付ける作業の廃止により液口栓のコスト削減をすることにある。
【０００５】
【課題を解決するための手段】
すなわち、本発明は、筒状本体５と、防爆フィルター１６とを有する鉛蓄電池用液口栓であって、前記筒状本体５は、筒体６と、蓋７と、板状体８と、防沫体９とからなり、前記蓋７は、前記筒体６の上部空間１２を覆い、ヒンジ部１８を介して筒体６と一体に形成されているものであり、前記板状体８は、前記筒体６の下端開口を覆うものであって、ヒンジ部２７を介して筒体６と一体に形成されているものであり、前記防沫体９は、前記筒体６と一体に形成され、側部にスリット１４を有する壁によって筒体６の内部を上部空間１２と下部空間１３に２分するものであり、前記防爆フィルター１６は、前記筒体６の上部空間１２に配置されていることを特徴とする。
そして、前記蓋７は、上面にコイン溝１９が形成され、下面に突起２０，２２を有するものであり、前記防沫体９は、筒体６との連結部１１上面に前記突起２０，２２と嵌合する凹部２１，２３を有することが該液口栓の上面をフラットにすると共に液口栓を鉛蓄電池に取り付ける際の締めつけトルクによるヒンジ部１８の破損を防ぐ上で好ましい。
【０００６】
【作用】
請求項１のように、蓋７と筒体６および板状体８と筒体６をヒンジ部１８，２７を介して一体化した筒状本体５とすることにより、防沫体９を内部に形成した筒状本体５を一つの金型で作製できる。また、筒体６に防爆フィルター１６を取り付ける際は、筒状本体５の上面が蓋７により塞がれていないので、該本体５の上面からフィルター１６を挿入して、その後に蓋７により上面を塞ぐことができる。筒体６の下面も同様に板状体８で塞ぐことができる。
【０００７】
また、請求項２のように、蓋７下面に突起２０，２２を設け、筒体６に嵌着させると、鉛蓄電池に取り付ける際にヒンジ部１８に加わる回転力を減じることができる。
【０００８】
【発明の実施の形態】
以下、本発明の一実施形態を図面に基づいて説明する。
【０００９】
図１は、本発明の一実施形態を示す蓋を嵌着する前の断面図、図２は図１の外観斜視図、図３は図１の蓋を嵌着した状態の外観斜視図であり、５はポリプロピレンまたはポリエチレン等の合成樹脂からなる筒状本体であり、筒体６と蓋７と板状体８と防沫体９とからなる。該筒体６は、上部の一部が円筒形となり、鉛蓄電池の液口に嵌着し易くなっており、下部が角筒形で、側部にスリット１０が形成されている。該筒体６の内部に有底筒状の防沫体９が設けられ、該防沫体９の上端が連結部１１を介して筒体６の内壁と繋がっている。こうして、筒体６の内部を防沫体９により上部空間１２と下部空間１３に分けている。該防沫体９は、側部にスリット１４が形成され、該スリット１４により上部空間１２と下部空間１３が連通している。また、防沫体９の内壁に上向きの段差面１５が形成され、該段差面１５に防爆フィルター１６が載置されている。
【００１０】
前記蓋７は、筒体６の上部空間１２を覆うものであり、円盤形をなし、周囲の一部から接続帯１７が延び、該接続帯１７の端のヒンジ部１８を介して筒体６と連結している。該蓋７の上面にはコイン溝１９を有し、下面には該溝１９により突出した突起２０を有する。そして、該突起２０が前記連結部１１に形成された凹部２１に嵌着している。また、該蓋７の回転力を筒体６に伝達する際、ヒンジ部１８が破損するのを防止するため、蓋７の下面に別の突起２２が設けられ、該突起２２と嵌着する凹部２３が前記連結部１１に形成されている。
【００１１】
なお、筒体６の上面には、前記接続帯１７が嵌まる溝２４が形成され、該接続体１７が筒体６の上面から突出しないようにすると共に、蓋７の回転力が筒体６に伝達するようにしている。また、蓋７の周囲の縁２５は、上方が尖った突舌形をなし、筒体６のアンダーカット部２６に嵌着して、筒体６から跳ね上がらないような構造になっている。
【００１２】
前記板状体８は、筒体６の下端にヒンジ部２７を介して一体に取り付けられており、筒体６の下端開口を塞いでいる。
【００１３】
上記構造の液口栓は、図４の従来構造の液口栓と同様に防爆フィルターの上部が蓋で覆われているため、外部からのごみ等がフィルターに付着することがなく、鉛蓄電池の使用時に発生したガスを筒体内部を通過させ、防沫体により電解液酸霧を除去してフィルターを通じて蓋と筒体の嵌着部の隙間から外部に良好に排出できるものである。
【００１４】
なお、筒体６の上部空間１２および／または下部空間１３に充填物を入れて迷路構造を複雑にしてもよく、突起とそれに嵌合する凹部の数は、適宜増減してもよい。
【００１５】
【実施例】
次に、上記構造の液口栓の製造方法について説明する。
【００１６】
先ず、筒状本体５を一つの金型で作製する。作製された筒状本体５は、蓋７がヒンジ部１８を介して、例えば図１のように筒体６の横に取り付けられ、筒体６の上部空間１２が開口している。また、板状体８は、ヒンジ部２７を介して筒体６の下端から垂下し、筒体６の下端が開口している。
【００１７】
次に、筒体６の上部空間１２に防爆フィルター１６を挿入し、防沫体９の段差面１５に該フィルター１６を載置する。
【００１８】
次に、蓋７をヒンジ部１８を支点として回転させ、蓋７の突起２０，２２を連結部１１の凹部２１，２３に嵌着して筒体６の上部空間１２を塞ぐ。この時、蓋７の突起２０の下端がフィルター１６の上部に接し、フィルター１６が固定される。
【００１９】
次に、板状体８をヒンジ部２７を支点として回転させ、筒体６の下端開口を塞いで本発明の液口栓を完成する。
【００２０】
なお、板状体８により筒体６の下端開口を塞ぐ工程は、筒状本体５が金型で作製された後であれば何れの時期であってもよい。
【００２１】
【発明の効果】
（１）請求項１によれば、筒体と蓋と板状体と防沫体とを１部品で構成しているので、従来より部品点数が減じ、防沫体と筒体の取付け作業が不要となるので、製造コストが少なくて済む。
【００２２】
（２）請求項２によれば、鉛蓄電池への取付け時におけるヒンジ部１８にかかる締めつけトルクを軽減できるので、ヒンジ部１８の破損を防止できる。
【図面の簡単な説明】
【図１】本発明の一実施形態を示す蓋を嵌着する前の断面図である。
【図２】図１の外観斜視図である。
【図３】蓋を嵌着した図１の外観斜視図である。
【図４】従来の液口栓の一実施形態を示す断面図である。
【符号の説明】
５  筒状本体
６  筒体
７  蓋
８  板状体
９  防沫体
１１  連結部
１２  上部空間
１３  下部空間
１４  防沫体のスリット
１６  防爆フィルター
１８，２７  ヒンジ部
１９  コイン溝
２０，２２  突起
２１，２３  凹部
【図１】
0004186198.tif 000002
【図２】
0004186198.tif 000003
【図３】
0004186198.tif 000004
【図４】
0004186198.tif 000005